(57)【要約】【課題】  容器本体内の化粧品を掬い取るスパチュラを備えた化粧品容器であって、不使用には塵埃等の付着を防止した状態でスパチュラを衛生的に収納しておくことができ、使用時にはスパチュラを取り出して化粧品の掬い取りが円滑に行えるようにする。【解決手段】  開口端を着脱自在な中蓋２によって閉止している化粧品を収容した容器本体１とこの容器本体１の口頸部1aに螺合している外蓋３とからなる化粧品容器において、外蓋３はスパチュラ６を収納した収納器体４と、この収納器体４に開閉自在に枢着している蓋体５とから構成し、化粧時には、容器本体１から外蓋３を取り外して中蓋２を開蓋すると共に外蓋３の蓋体５を開いて収納器体４内からスパチュラ６を取り出したのち、蓋体５により収納器体４を閉止して化粧中における塵埃等の侵入を防止した状態にすることができるように構成している。【選択図】    図１
2011234763.tif 000002
【特許請求の範囲】
【請求項１】
化粧品を収容した容器本体と、容器本体の上端開口部に螺合している外蓋とからなる化粧品容器において、外蓋を皿形状に形成しているスパチュラ収納器体と、このスパチュラ収納器体上に開閉自在に重ね合わせている蓋体とから構成していると共に、スパチュラを収納している上記収納器体の下面外周部に上記容器本体の上端開口部に螺合する螺筒部を一体に設けてなる化粧品容器。
【請求項２】
蓋体の外周一部をスパチュラ収納器体の外周一部にヒンジ又は蝶番によって開閉自在に枢着していることを特徴とする請求項１に記載の化粧品容器。
【請求項３】
スパチュラ収納器体のスパチュラ載置面にスパチュラを着脱可能に挟持する挟持突片を突設していることを特徴とする請求項１又は請求項２に記載の化粧品容器。
【請求項４】
蓋体の下面に鏡を取付けていることを特徴とする請求項１又は請求項２に記載の化粧品容器。
【発明の詳細な説明】
【技術分野】
【０００１】
本発明はクリームなどの半流動性を有する化粧品を収容した容器、特に、容器内から適量の化粧品を掬い取って塗布するためのスパチュラを備えた容器に関する。
【背景技術】
【０００２】
従来から、クリームのような半流動性を有する化粧品を収容する容器としては、容器本体の開口部外周面に雄螺子部を設けてこの雄螺子部に外蓋の周壁内周面に設けている雌螺子を螺合させ、さらに、容器本体の開口端に中蓋を着脱自在に取付けてこの中蓋により容器本体内の化粧品が外蓋の内面に付着するのを防止すると共に化粧品の匂いが外部に漏れるのを抑止している構造のものが広く採用されている。
【０００３】
このように構成した化粧品容器にあっては、化粧を行う際に容器本体内に収容している化粧品を取り出すには、容器本体から外蓋と中蓋とを順次、取り外したのち、容器本体内から化粧品を指先で適量掬い取っているが、指先では掬い取る料の加減が困難であって、必要以上の化粧品を掬い取る事態が生じる虞れがあるばがりでなく、指先を化粧品内に入れると、指先に付着している異物や雑菌等が化粧品内に混入して品質や効能の低下を招く虞れがあり、特に、化粧品が高価なクリームではこのような問題点を解消することが要望される。
【０００４】
そのため、容器内から適量の化粧品を掬い取って塗布するための塗布具であるスパチュラを備えた化粧品容器が開発され、例えば、特許文献１には、化粧品を収容した容器本体における外周面に雄螺子を設けた首部の下端に円環形状のスパチュラ保持具を外嵌させて容器主体の首部に螺合する外蓋の下端面でこのスパチュラ保持具を押圧、固定すると共に、外蓋や容器主体から外方に突出したスパチュラ保持具の突出部分に上下方向に貫通した保持孔を設けてこの保持孔にヘラ形状のスパチュラを挿入、保持させ、さらに、容器本体を台座上に載置してこの台座の外周部上面にスパチュラの下端を受止させてなる化粧品容器が記載されている。
【０００５】
また、特許文献２、３には、化粧品を収容した容器本体の開口端に着脱自在に取付けている中蓋の上面にスパチュラを取り外し可能に装着し、この中蓋の外周縁を容器本体の開口部に螺合した外蓋の下端面と容器本体の開口上端面とで挟着、固定してなる化粧品容器が記載されている。
【先行技術文献】
【特許文献】
【０００６】
【特許文献１】特開２００４−２０１９７０号公報
【特許文献２】特許第３７０８６０５号公報
【特許文献３】特開２００７−２２２１９３号公報
【発明の概要】
【発明が解決しようとする課題】
【０００７】
しかしながら、上記特許文献１に記載の化粧品容器によれば、容器本体の首部に円環形状のスパチュラ保持具を外嵌させてこのスパチュラ保持具に設けている保持孔にスパチュラを上下方向に挿通、保持させているため、スパチュラは化粧品容器の外側において、容器本体から外蓋に沿って立設された取付構造となり、従って、外蓋を回転操作して開蓋する際にこのスパチュラの上端部がその操作の邪魔になるばかりでなく、スパチュラが化粧品容器の外側に配設されているから塵埃等が付着して汚損する虞れがある。そのため、不使用時にはこのスパチュラを化粧品容器と共に収納しておく箱体を必要し、使用時にはその都度、この箱体から化粧品容器を取り出さなければならず、不便であるといった問題点がある。
【０００８】
一方、上記特許文献２、３に記載の化粧品容器によれば、スパチュラは容器本体の開口端に着脱自在に取付けている中蓋の上面に設けられていて、不使用時には外蓋によって被覆されているので塵埃等が付着する虞れはなく、また、外蓋の開放操作に何らの支障も及ぼさないが、使用に際して外蓋を取り外したのち中蓋を取り外す前に、この中蓋の上面に取付けているスパチュラを摘まんで中蓋から取り外すと、スパチュラを摘んだ状態での中蓋の開放操作が煩わしくなるので、一旦、スパチュラを適所に置いたのち中蓋を開放させることが行われるようになり、スパチュラが汚損する虞れがある。
【０００９】
また、容器本体から外蓋と中蓋とを取り外したのち、この中蓋の上面に装着しているスパチュラを取り外すこともできるが、そうすると、一方の手で中蓋を把持した状態で他方の手の指先でスパチュラを取り外す操作が必要となって今度は中蓋が汚損される虞れが生じることになる。さらに、使用時において外蓋を取り外した後においては、中蓋は容器本体内の化粧品の使用が終わるまで外部に露呈されているので、その上面に塵埃等が付着し易く、この中蓋の上面にスパチュラを取付けるように構成しているので、スパチュラにその塵埃等が転移してスパチュラが汚損されるといった問題点がある。
【００１０】
本発明はこのような問題点に鑑みてなされたもので、その目的とするところは、化粧品の使用に際して、容器本体から外蓋を取り外したのちに、スパチュラを取り出して化粧品の掬い取り操作を円滑に行えるようにすると共に、使用後においては、塵埃等の付着を防止した状態でスパチュラを衛生的に収納しておくことができる化粧品容器を提供するにある。
【課題を解決するための手段】
【００１１】
上記目的を達成するために、本発明の化粧品容器は、請求項１に記載したように、化粧品を収容した容器本体と、容器本体の上端開口部に螺合している外蓋とからなる化粧品容器において、外蓋を皿形状に形成しているスパチュラ収納器体と、このスパチュラ収納器体上に開閉自在に重ね合わせている蓋体とから構成していると共に、スパチュラを収納している上記収納器体の下面外周部に上記容器本体の開口端部に螺合する螺筒部を一体に設けてなる構造を有している。
【００１２】
このように構成した化粧品容器において、請求項２に係る発明は、蓋体の外周一部をスパチュラ収納器体の外周一部にヒンジによって開閉自在に枢着していることを特徴とし、請求項３に係る発明は、スパチュラ収納器体のスパチュラ載置面にスパチュラを着脱可能に挟持する挟持突片を突設していることを特徴とする。また、請求項４に係る発明は、上記蓋体の下面に鏡を取付けていることを特徴とする。
【発明の効果】
【００１３】
請求項１に係る発明によれば、スパチュラは容器本体側ではなく蓋体と共に外蓋を形成しているスパチュラ収納器体内に収納しているので、化粧を行う際、容器本体から外蓋を取り外したのちに、スパチュラ収納器体に開閉自在に取付けている蓋体を開いてスパチュラ収納器体内からスパチュラを取り出すことができると共に、そのまま、スパチュラを摘んだ状態で直ちに化粧品の掬い取り操作を行うことができ、その上、スパチュラを取り出した後においてはスパチュラ収納器体を蓋体によって閉止しておくことによりスパチュラ収納容器体内に塵埃が侵入するのを防止することができ、従って、使用後にスパチュラを収納器体内に収納しても塵埃等が付着するすることなく衛生的に収納しておくことができる。
【００１４】
また、上記スパチュラ収納器体と、このスパチュラ収納器体上に開閉自在に重ね合わせている蓋体とによって外蓋を構成していると共にスパチュラを収納している上記収納器体の下面外周部に上記容器本体の上端開口部に螺合する螺筒部を一体に設けているので、通常の外蓋と同様に、この外蓋も容器本体の上端開口部に簡単に着脱させることができる。  
【００１５】
さらに、請求項２に係る発明によれば、蓋体の外周一部をスパチュラ収納器体の外周一部にヒンジ又は蝶番によって開閉自在に枢着しているので、蓋体の開閉操作がワンタッチで行えてスパチュラの出し入れが円滑に行えると共に、この蓋体とスパチュラ収納器体とからなる外蓋を容器本体の上端開口部に着脱させる際に、蓋体とスパチュラ収納器体とをヒンジ又は蝶番を介して一体的に回動させることができて外蓋の開閉操作が容易に行うことができる。
【００１６】
請求項３に係る発明によれば、スパチュラ収納器体のスパチュラ載置面にスパチュラを着脱可能に挟持する挟持突片を突設しているので、不使用時にはスパチュラを妄動させることなく挟持突片によって所定の位置に安定した状態で挟持させておくことができ、使用時には挟持突片から簡単に取り外すことができる。
【００１７】
また、請求項４に係る発明によれば、上記蓋体の下面に鏡を取付けているので、容器本体内からスパチュラによって救い取った化粧品による化粧を、外蓋の蓋体を利用してこの蓋体の下面に取付けている鏡を見ながら綺麗に行うことができる。
【図面の簡単な説明】
【００１８】
【図１】本発明化粧品容器の縦断側面図。
【図２】その斜視図。
【図３】その分解斜視図。
【図４】外蓋の蓋体を開いた状態の縦断側面図。
【発明を実施するための形態】
【００１９】
本発明の具体的な実施の形態を図面に基づいて説明すると、化粧品容器は、硬質合成樹脂よりなる容器本体１と、この容器本体１の開口端に着脱自在に装着して該開口端を密閉する軟質合成樹脂よりなる中蓋２と、容器本体１の上端開口部に螺合して上記中蓋２を被覆している硬質合成樹脂よりなる外蓋３とからなり、さらに、この外蓋３を皿形状に形成しているスパチュラ収納器体４と、このスパチュラ収納器体４上に開閉自在に重ね合わせている蓋体５とから構成している。
【００２０】
上記容器本体１はその上端開口部を胴部1bよりも小径の短筒状の口頸部1aに形成してあり、この口頸部1aの外周面に雄螺子部７を形成している。また、上記中蓋２は上記容器本体１の開口端を閉塞する円板形状の底部2aの外周縁に上方に向かって容器本体１の開口端部の内周面に嵌合する高さの低い周壁部2bを一体に設けていると共にこの周壁部2bの上端縁に外方に向かって水平状に突出した一定幅を有するフランジ部2cを一体に設けてなり、中蓋２によって容器本体１の開口端を閉塞した際に、このフランジ部2cを容器本体１の開口端面に当接、受止させるように形成している。さらに、この中蓋２における周壁部2bの内周面の適所から内方に向かって摘まみ片2dを突設してあり、この摘まみ片2dを摘むことによって容器本体１の開口端からの中蓋２の取り外しを容易に行えるようにしている。
【００２１】
一方、上記スパチュラ収納器体４と蓋体５とからなる外蓋３の具体的な構造を説明すると、スパチュラ収納器体４は、上記容器本体１の口頸部1aの外径よりも大径に形成されている円板形状の底部4aの外周縁に上方に向かって一定高さの周壁部4bを突設して全体を皿形状に形成してなり、この周壁部4bによって囲まれた空間部をスパチュラ６の収納室とし、底部4aの上面をスパチュラ６の載置面に形成している。
【００２２】
さらに、このスパチュラ収納器体４の底部4aの下面、即ち、外底面の外周部に、容器本体１の上記口頸部1aの外周面に設けている雄螺子部７に螺合する雌螺子部8aを形成した螺筒部８を下方に向かって突設している。この螺筒部８の突出長は上記口頸部1aの高さよりも僅かに短い長さに形成されてあり、従って、口頸部1aに螺合させた際に、その下端面が容器本体１における胴部1bと口頸部1aとの連設部である円環形状の肩部1cに達する前に螺筒部８の上端で囲まれた底部4aの下面が口頸部1aの開口端面に係止している中蓋２のフランジ部2c上に当接してこのフランジ部2cを口頸部1aの開口端面とスパチュラ収納器体４の底部4aとによって挟着するように構成している。
【００２３】
このスパチュラ収納器体４の開口上端を開閉自在に閉止している上記蓋体５は、スパチュラ収納器体４の周壁部4bの外径に等しい径の円形天板部5aにおける下面外周縁に下方に向かって一定高さの周壁部5bを一体に形成してなり、この蓋体５の外周一部をスパチュラ収納器体４の外周一部にヒンジ９によって回転自在に枢着している。
【００２４】
具体的には、スパチュラ収納器体４の周壁部4bの一部に内周部を残して平面コ字状の凹部4cを設け、この凹部4c内に蓋体５の周壁部5bの一部に形成している軸受部5cを挿入してこの軸受部5cの両側面間に貫通した係合孔7aを凹部4cの対向側端面間に固着した軸7bに回動自在に嵌合させることによってヒンジ９を形成している。さらに、このヒンジ９に対して直径方向に対向するスパチュラ収納器体４の周壁部4bの一部に、内周部を残して平面コ字状の係合凹部4dを設けてあり、この係合凹部4dの外周面に突設している係止片10に蓋体５の対向する部分の内周面に突設した係止片11を係脱自在に係合させている。なお、この蓋体５の下面に鏡13を取付けているが、この鏡13はなくてもよい。さらに、上記ヒンジ９に代えて蝶番を使用してもよい。
【００２５】
また、スパチュラ収納器体４のスパチュラ載置面には、収納したスパチュラ６を着脱可能に挟持する一対の挟持突片12、12を突設している。なお、スパチュラ６は長さ方向の一半部をヘラ部6aに他半部を摘まみ部6bに形成した偏平なヘラ形状に形成されている。
【００２６】
このように構成した化粧品容器は、不使用時にはスパチュラ６を外蓋３におけるスパチュラ収納器体４内に収納してあり、使用に際しては、外蓋３を容器本体１に対して反時計方向に回動させることによりスパチュラ収納器体４の螺筒部８を容器本体１の上端開口部の口頸部1a外周面に設けている雄螺子部７から螺退させて外蓋３を取り外し、次いで、容器本体１の開口端を閉止している中蓋２を取り外すと共に、外蓋３の蓋体５をスパチュラ収納器体４からヒンジ９を支点として上方に開口させてスパチュラ収納器体４内に収納しているスパチュラ６を取り出し、このスパチュラ６によって容器本体１内に充填しているクリームを適量、掬い取って化粧に供する。
【００２７】
この際、化粧を行う前に、スパチュラ６を取り出した直後にスパチュラ収納器体４を蓋体５によって直ちに密閉してスパチュラ収納器体４内に塵埃等が侵入するのを防止しておくことが好ましい。なお、蓋体５を開いてスパチュラ収納器体４内からスパチュラ６を取り出すのは、容器本体１の上端開口部から外蓋３を取り外した後であっても、取り外す前であってもよい。
【００２８】
化粧を行った後は、容器本体１の開口端を中蓋２によって閉止すると共に外蓋３におけるスパチュラ収納器体４内にスパチュラ６を入れて蓋体５を閉じ、スパチュラ収納器体４に一体に設けている上記螺筒部８を容器本体１の口頸部1aの螺合させることにより、容器本体１に外蓋３を装着する。
【００２９】
なお、以上の実施例において、スパチュラ収納器体４に対する蓋体５の開閉機構としては、上述したようなヒンジ９を中心として上下方向に開閉させる機構に限らず、スパチュラ収納器体４の周壁部4bの外周面と蓋体５の周壁部5bの内周面とに互いに係脱可能な係止条部を設けて外蓋５をスパチュラ収納器体４に被せて時計周り方向に回動させることにより係止条部同士を係止させ、半時計方向に回動させることにより係止条部同士の係止を解くような開閉機構やその他の開閉機構を採用してもよい。また、スパチュラ収納器体４のスパチュラ載置面にスパチュラ挟持突片12、12を突設しているが、このような挟持突片12、12を設けることなく、スパチュラ収納器体４内に単に収納するように構成していてもよい。また、中蓋２は必ずしも設けておく必要はない。
【符号の説明】
【００３０】
１  容器本体
２  中蓋
３  外蓋
４  スパチュラ収納器体
５  蓋体
６  スパチュラ
７  雄螺子部
８  螺筒部
９  ヒンジ
【図１】
2011234763.tif 000003
【図２】
2011234763.tif 000004
【図３】
2011234763.tif 000005
【図４】
2011234763.tif 000006